(57)【要約】【課題】特殊構成の吐出弁構造及び吸上弁構造を採用することで、部材数の減少を図れ、また、全体をコンパクトに形成することができ、特に丈を短く形成することができ、トリガー式液体噴出器を提案する。【解決手段】トリガーＦ操作により容器体９０内の液をノズルＤの噴出口より噴出するトリガー式液体噴出器であって、本体Ｂが、シリンダ筒３０内基端部を内外に区画する区画筒３２を突設して区画筒内に吐出弁Ｖ１を備えるとともに、縦流路ｐａを構成する下部縦流路ｐａ１及び上部縦流路ｐａ２を画成する筒状のインテイクＢ３を備え、インテイクは、容器体内とパイプ５３を介して区画筒内とを連通する下部縦流路を画成するとともに、シリンダ筒３０内と射出流路ｐｂとを連通する上部縦流路を画成し、上部縦流路内に於いて吸上弁Ｖ２を構成する吸上弁体４６を、上端に一体に形成してなる。【選択図】図１
2014087762.tif 000002
【特許請求の範囲】
【請求項１】
容器体（９０）内とパイプ（５３）を介して連通する縦流路（ｐａ）と、縦流路（ｐａ）と連通して前方へ突設したシリンダ筒（３０）と、シリンダ筒（３０）上方位置に於いて縦流路（ｐａ）と連通して前方へ延設した射出流路（ｐｂ）とを有する本体（Ｂ）を備え、トリガーＦ操作による、シリンダ筒（３０）内を摺動可能に嵌合したプランジャ（Ｅ）の前後動により、容器体（９０）内の液をシリンダ筒（３０）内に吸い上げて、射出流路（ｐｂ）先端のノズル（Ｄ）の噴出口より噴出するトリガー式液体噴出器であって、本体（Ｂ）が、シリンダ筒（３０）内基端部を内外に区画する区画筒（３２）を突設して区画筒（３２）内に吐出弁（Ｖ１）を備えるとともに、縦流路（ｐａ）を構成する下部縦流路（ｐａ１）及び上部縦流路（ｐａ２）を画成する筒状のインテイク（Ｂ３）を備え、インテイク（Ｂ３）は、容器体（９０）内とパイプ（５３）を介して区画筒（３２）内とを連通する下部縦流路（ｐａ１）を画成するとともに、シリンダ筒（３０）内と射出流路（ｐｂ）とを連通する上部縦流路（ｐａ２）を画成し、上部縦流路（ｐａ２）内に於いて吸上弁（Ｖ２）を構成する吸上弁体（４６）を、上端に一体に形成してなることを特徴とする液体噴出器。
【請求項２】
本体（Ｂ）を、有頂の縦筒（１７）の上端部に基端を開口して前方へ延設し、内部に射出流路（ｐｂ）を画成した射出筒（１８）を備え、射出筒（１８）下方の縦筒（１７）より、前端開放で後端閉塞のシリンダ嵌合筒（１９）を突設し、シリンダ嵌合筒（１９）内中央に吐出弁座（２０）を突設した本体部（Ｂ１）と、シリンダ嵌合筒（１９）内に嵌合させたシリンダ筒（３０）の後端縁よりフランジ状の奥壁（３１）を延設するとともに、奥壁（３１）内周縁よりシリンダ筒（３０）内基端部を内外に区画する区画筒（３２）を突設し、区画筒（３２）より弾性部（３３）を介して一体に突設した吐出弁体（３４）を吐出弁座（２０）に圧接し吐出弁（Ｖ１）を形成したシリンダ部材（Ｂ２）と、縦筒（１７）内に嵌着するとともに、内部を上下に区画する隔壁（４７）を設けて、隔壁（４７）下方に下部縦流路（ｐａ１）を、隔壁（４７）上方に上部縦流路（ｐａ２）を画成したインテイク（Ｂ３）とで構成し、本体部（Ｂ１）に対するシリンダ部材（Ｂ２）及びインテイク（Ｂ３）の嵌着時に、下部縦流路（ｐａ１）内と区画筒（３２）内とを連通する流入路と、区画筒（３２）外周のシリンダ筒（３０）内と上部縦流路（ｐａ２）内とを連通する流出路が形成される請求項１に記載のトリガー式液体噴出器。
【請求項３】
インテイク（Ｂ３）は、筒壁（４５）の上端縁より立設した筒状の吸上弁体（４６）を、縦筒（１７）の頂部より垂設した吸上弁座（２３）外周に、開閉可能に圧接して吸上弁（Ｖ２）を構成し、隔壁（４７）下方の筒壁（４５）内部に下部縦流路（ｐａ１）を画成するとともに、隔壁（４７）上方の筒壁（４５）内より、吸上弁（Ｖ２）を介して吸上弁座（２３）外周に至る上部縦流路（ｐａ２）を画成している請求項２に記載のトリガー式液体噴出器。
【請求項４】
吸上弁体（４６）が、上部が内方へ漸次縮径する筒状をなし、吸上弁体（４６）の上端縁部を吸上弁座（２３）外周に開閉可能に圧接して吸上弁（Ｖ２）を構成した請求項３に記載のトリガー式液体噴出器。
【請求項５】
インテイク（Ｂ３）の筒壁（４５）に設けた下部透孔（４８）と、縦筒（１７）に設けた第１連通孔（２１）とを、インテイク（Ｂ３）の筒壁（４５）と縦筒（１７）との間に設けた環状の下部隙間（５０）を介して連通し、下部縦流路（ｐａ１）内と区画筒（３２）内とを連通する上記流入路を形成し、インテイク（Ｂ３）の筒壁（４５）に設けた上部透孔（４９）と、縦筒（１７）に設けた第２連通孔（３６）とを、インテイク（Ｂ３）の筒壁（４５）と縦筒（１７）との間に設けた環状の上部隙間（５１）を介して連通し、区画筒（３２）外周のシリンダ筒（３０）内と上部縦流路（ｐａ２）内とを連通する上記流出路を形成した請求項３又は請求項４に記載のトリガー式液体噴出器。
【請求項６】
インテイク（Ｂ３）は、上部を小外径の小外径部（４５ａ）に形成した筒壁（４５）の上端縁より筒状の吸上弁体（４６）を立設し、縦筒（１７）の頂部より垂設し、且つ、内部を射出流路（ｐｂ）と連通する筒状の吸上弁座（２３）内周に、吸上弁体（４６）を開閉可能に圧接して吸上弁（Ｖ２）を構成し、隔壁（４７）下方の筒壁（４５）内部に下部縦流路（ｐａ１）を画成するとともに、隔壁（４７）上方の小外径部分（４５ａ）外周より、吸上弁（Ｖ２）を介して吸上弁座（２３）内に至る上部縦流路（ｐａ２）を画成している請求項２に記載のトリガー式液体噴出器。
【請求項７】
本体（Ｂ）を、有頂の縦筒（１７）の上端部に基端を開口して前方へ延設し、内部に射出流路（ｐｂ）を画成した射出筒（１８）を備え、射出筒（１８）下方の縦筒（１７）より、前端開放で後端閉塞のシリンダ嵌合筒（１９）を突設し、シリンダ嵌合筒（１９）内中央に吐出弁座（２０）を突設した本体部（Ｂ１）と、シリンダ嵌合筒（１９）内に嵌合させたシリンダ筒（３０）の後端縁よりフランジ状の奥壁（３１）を延設するとともに、奥壁（３１）内周縁よりシリンダ筒（３０）内基端部を内外に区画する区画筒（３２）を突設し、区画筒（３２）より弾性部（３３）を介して一体に突設した吐出弁体（３４）を吐出弁座（２０）に圧接し吐出弁（Ｖ１）を形成したシリンダ部材（Ｂ２）と、縦筒（１７）内に嵌着するとともに、筒壁（４５）の上部を小外径の小外径部分（４５ａ）に形成した筒状をなし、上端をドーム状の吸上弁体（４６）で閉塞したインテイク（Ｂ３）とで構成し、本体部（Ｂ１）に対するシリンダ部材（Ｂ２）及びインテイク（Ｂ３）の嵌着時に、縦筒（１７）の頂部より垂設し、且つ、内部を射出流路（ｐｂ）と連通する筒状の吸上弁座（２３）下面に、吸上弁体（４６）の上面を開閉可能に圧接して吸上弁（Ｖ２）を構成し、インテイク（Ｂ３）の筒壁（４５）内部に下部縦流路（ｐａ１）を画成するとともに、小外径部分（４５ａ）外周より、吸上弁（Ｖ２）を介して吸上弁座（２３）内に至る上部縦流路（ｐａ２）を画成し、下部縦流路（ｐａ１）内と区画筒（３２）内とを連通する流入路と、区画筒（３２）外周のシリンダ筒（３０）内と上部縦流路（ｐａ２）内とを連通する流出路が形成される請求項１に記載のトリガー式液体噴出器。
【請求項８】
インテイク（Ｂ３）の筒壁（４５）に設けた下部透孔（４８）と、縦筒（１７）に設けた第１連通孔（２１）とを、インテイク（Ｂ３）の筒壁（４５）と縦筒（１７）との間に設けた環状の下部隙間（５０）を介して連通し、インテイク（Ｂ３）内と区画筒（３２）内を連通する上記流入路を形成し、縦筒（１７）に設けた第２連通孔（３６）を、インテイク（Ｂ３）の小外径部（４５ａ）外周と連通させて、区画筒（３２）外周のシリンダ筒（３０）内と上部縦流路（ｐａ２）とを連通する上記流出路を形成した請求項６又は請求項７に記載のトリガー式液体噴出器。
【請求項９】
縦筒（１７）内に嵌着するインテイク（Ｂ３）の押し込み嵌合位置を規定する嵌着位置規定手段を設けた請求項２乃至請求項８のいずれか１項に記載のトリガー式液体噴出器。
【請求項１０】
シリンダ部材（Ｂ２）の後面より突設した位置決め突部（３５）を、縦筒（１７）の所定位置に穿設した嵌合孔（２６）に嵌合して本体部（Ｂ１）に対してシリンダ部材（Ｂ２）を嵌着する如く構成した請求項２乃至請求項９のいずれか１項に記載のトリガー式液体噴出器。
【請求項１１】
本体（Ｂ）の上面、両側面、後面を被覆して本体（Ｂ）に装着したカバー（Ｇ）を設け、カバー（Ｇ）は、本体（Ｂ）の後部下方に一端を係合して後方へ延びる支持板部（８０）を備え、支持板部（８０）の上面に、本体（Ｂ）の後面を被覆する後壁部（８３）の下端部を一体に連結して構成した請求項１乃至請求項１０のいずれか１項に記載のトリガー式液体噴出器。
【発明の詳細な説明】
【技術分野】
【０００１】
本発明はトリガー式液体噴出器に関する。
【背景技術】
【０００２】
トリガー操作により内臓ポンプ機構の作用で、装着した容器体内の液を汲み上げ、先端のノズルより液状、霧状等に噴出するトリガー式液体噴出が知られている。（例えば、特許文献１参照）。
【０００３】
上記トリガー式液体噴出器は、装着した容器体内とパイプを介して連通する縦流路と、縦流路の上部に連通して前方へ延設し、先端に嵌着したノズル内と連通する射出流路と、射出流路下方に於いて縦流路内と連通して前方へ突設したシリンダ筒と、を備えた本体を備え、シリンダ筒内を摺動するプランジャを操作するトリガーを、射出流路前部位置の本体より揺動可能に垂設している。
【０００４】
また、縦流路内とシリンダ筒内との連通路は一箇所設けられており、その連通路の上流位置の縦流路内に吐出弁を配置し、連通路の下流位置の縦流路内に吸上弁を配置している。また、吐出弁は縦流路内に突設した弁座上に玉状の吐出弁体を載置した構成となっており、吸上弁は縦流路上端より垂設された弾性板に支持された吸上弁板を、縦流路内の吸上弁座に圧接した形態を採っており、吸上弁板下方に吸上弁体の上下動を規制する棒状の弁抑えを一体に垂設している。
【先行技術文献】
【特許文献】
【０００５】
【特許文献１】特許第３７８１９０４号公報
【発明の概要】
【発明が解決しようとする課題】
【０００６】
本発明は、特殊構成の吐出弁構造及び吸上弁構造を採用することで、部材数の減少を図れ、また、全体をコンパクトに形成することができ、部品の挿入ミスもなく、特に丈を短く形成することができ、しかも、従来品と比較して機能的な低下が生じる虞もなく、円滑な液の汲み上げ、噴出が可能であるトリガー式液体噴出器を提案する。また、本体を複数の構成体で形成し、それらを組み付けることで簡単に形成でき、また、吐出弁もこれらの組み付け操作で自動的に形成できるトリガー式液体噴出器を提案する。更に、本体を構成するシリンダ部材の嵌着を容易確実に行うことができるトリガー式液体噴出器を提案する。また、例えば、装着キャップを握っての操作時に、握った手の上面を当接係止して安定した噴出操作が可能であり、また、この様な利点を得るためにカバーの後部を本体より大きく後方に突設する必要もなく、カバーを構成する材料を極力減量することができるトリガー式液体噴出器を提案する。
【課題を解決するための手段】
【０００７】
第１の手段として、以下の通り構成した。即ち、容器体９０内とパイプ５３を介して連通する縦流路ｐａと、縦流路ｐａと連通して前方へ突設したシリンダ筒３０と、シリンダ筒３０上方位置に於いて縦流路ｐａと連通して前方へ延設した射出流路ｐｂとを有する本体Ｂを備え、トリガーＦ操作による、シリンダ筒３０内を摺動可能に嵌合したプランジャＥの前後動により、容器体９０内の液をシリンダ筒３０内に吸い上げて、射出流路ｐｂ先端のノズルＤの噴出口より噴出するトリガー式液体噴出器であって、本体Ｂが、シリンダ筒３０内基端部を内外に区画する区画筒３２を突設して区画筒３２内に吐出弁Ｖ１を備えるとともに、縦流路ｐａを構成する下部縦流路ｐａ１及び上部縦流路ｐａ２を画成する筒状のインテイクＢ３を備え、インテイクＢ３は、容器体９０内とパイプ５３を介して区画筒３２内とを連通する下部縦流路ｐａ１を画成するとともに、シリンダ筒３０内と射出流路ｐｂとを連通する上部縦流路ｐａ２を画成し、上部縦流路ｐａ２内に於いて吸上弁Ｖ２を構成する吸上弁体４６を、上端に一体に形成してなる。
【０００８】
第２の手段として、以下の通り構成した。即ち、前記第１の手段に於いて、本体Ｂを、有頂の縦筒１７の上端部に基端を開口して前方へ延設し、内部に射出流路ｐｂを画成した射出筒１８を備え、射出筒１８下方の縦筒１７より、前端開放で後端閉塞のシリンダ嵌合筒１９を突設し、シリンダ嵌合筒１９内中央に吐出弁座２０を突設した本体部Ｂ１と、シリンダ嵌合筒１９内に嵌合させたシリンダ筒３０の後端縁よりフランジ状の奥壁３１を延設するとともに、奥壁３１内周縁よりシリンダ筒３０内基端部を内外に区画する区画筒３２を突設し、区画筒３２より弾性部３３を介して一体に突設した吐出弁体３４を吐出弁座２０に圧接し吐出弁Ｖ１を形成したシリンダ部材Ｂ２と、縦筒１７内に嵌着するとともに、内部を上下に区画する隔壁４７を設けて、隔壁４７下方に下部縦流路ｐａ１を、隔壁４７上方に上部縦流路ｐａ２を画成したインテイクＢ３とで構成し、本体部Ｂ１に対するシリンダ部材Ｂ２及びインテイクＢ３の嵌着時に、下部縦流路ｐａ１内と区画筒３２内とを連通する流入路と、区画筒３２外周のシリンダ筒３０内と上部縦流路ｐａ２内とを連通する流出路が形成される。
【０００９】
第３の手段として、以下の通り構成した。即ち、第２の手段に於いて、インテイクＢ３は、筒壁４５の上端縁より立設した筒状の吸上弁体４６を、縦筒１７の頂部より垂設した吸上弁座２３外周に、開閉可能に圧接して吸上弁Ｖ２を構成し、隔壁４７下方の筒壁４５内部に下部縦流路ｐａ１を画成するとともに、隔壁４７上方の筒壁４５内より、吸上弁Ｖ２を介して吸上弁座２３外周に至る上部縦流路ｐａ２を画成している。
【００１０】
第４の手段として、以下の通り構成した。即ち、第３の手段に於いて、吸上弁体４６が、上部が内方へ漸次縮径する筒状をなし、吸上弁体４６の上端縁部を吸上弁座２３外周に開閉可能に圧接して吸上弁Ｖ２を構成した。
【００１１】
第５の手段として、以下の通り構成した。即ち、前記第３の手段又は第４の手段のいずれかの手段に於いて、インテイクＢ３の筒壁４５に設けた下部透孔４８と、縦筒１７に設けた第１連通孔２１とを、インテイクＢ３の筒壁４５と縦筒１７との間に設けた環状の下部隙間５０を介して連通し、下部縦流路ｐａ１内と区画筒３２内とを連通する上記流入路を形成し、インテイクＢ３の筒壁４５に設けた上部透孔４９と、縦筒１７に設けた第２連通孔３６とを、インテイクＢ３の筒壁４５と縦筒１７との間に設けた環状の上部隙間５１を介して連通し、区画筒３２外周のシリンダ筒３０内と上部縦流路ｐａ２内とを連通する上記流出路を形成した。
【００１２】
第６の手段として、以下の通り構成した。即ち、第２の手段に於いて、インテイクＢ３は、上部を小外径の小外径部４５ａに形成した筒壁４５の上端縁より筒状の吸上弁体４６を立設し、縦筒１７の頂部より垂設し、且つ、内部を射出流路ｐｂと連通する筒状の吸上弁座２３内周に、吸上弁体４６を開閉可能に圧接して吸上弁Ｖ２を構成し、隔壁４７下方の筒壁４５内部に下部縦流路ｐａ１を画成するとともに、隔壁４７上方の小外径部分４５ａ外周より、吸上弁Ｖ２を介して吸上弁座２３内に至る上部縦流路ｐａ２を画成している。
【００１３】
第７の手段として、以下の通り構成した。即ち、前記第１の手段に於いて、本体Ｂを、有頂の縦筒１７の上端部に基端を開口して前方へ延設し、内部に射出流路ｐｂを画成した射出筒１８を備え、射出筒１８下方の縦筒１７より、前端開放で後端閉塞のシリンダ嵌合筒１９を突設し、シリンダ嵌合筒１９内中央に吐出弁座２０を突設した本体部Ｂ１と、シリンダ嵌合筒１９内に嵌合させたシリンダ筒３０の後端縁よりフランジ状の奥壁３１を延設するとともに、奥壁３１内周縁よりシリンダ筒３０内基端部を内外に区画する区画筒３２を突設し、区画筒３２より弾性部３３を介して一体に突設した吐出弁体３４を吐出弁座２０に圧接し吐出弁Ｖ１を形成したシリンダ部材Ｂ２と、縦筒１７内に嵌着するとともに、筒壁４５の上部を小外径の小外径部分４５ａに形成した筒状をなし、上端をドーム状の吸上弁体４６で閉塞したインテイクＢ３とで構成し、本体部Ｂ１に対するシリンダ部材Ｂ２及びインテイクＢ３の嵌着時に、縦筒１７の頂部より垂設し、且つ、内部を射出流路ｐｂと連通する筒状の吸上弁座２３下面に、吸上弁体４６の上面を開閉可能に圧接して吸上弁Ｖ２を構成し、インテイクＢ３の筒壁４５内部に下部縦流路ｐａ１を画成するとともに、小外径部分４５ａ外周より、吸上弁Ｖ２を介して吸上弁座２３内に至る上部縦流路ｐａ２を画成し、下部縦流路ｐａ１内と区画筒３２内とを連通する流入路と、区画筒３２外周のシリンダ筒３０内と上部縦流路ｐａ２内とを連通する流出路が形成される。
【００１４】
第８の手段として、以下の通り構成した。即ち、前記第６の手段に又は第７の手段に於いて、インテイクＢ３の筒壁４５に設けた下部透孔４８と、縦筒１７に設けた第１連通孔２１とを、インテイクＢ３の筒壁４５と縦筒１７との間に設けた環状の下部隙間５０を介して連通し、インテイクＢ３内と区画筒３２内を連通する上記流入路を形成し、縦筒１７に設けた第２連通孔３６を、インテイクＢ３の小外径部４５ａ外周と連通させて、区画筒３２外周のシリンダ筒３０内と上部縦流路ｐａ２とを連通する上記流出路を形成した。
【００１５】
第９の手段として、以下の通り構成した。即ち、前記第２の手段乃至第８の手段のいずれかの手段に於いて、縦筒１７内に嵌着するインテイクＢ３の押し込み嵌合位置を規定する嵌着位置規定手段を設けた。
【００１６】
第１０の手段として、以下の通り構成した。即ち、前記第２の手段乃至第９の手段のいずれかの手段に於いて、シリンダ部材Ｂ２の後面より突設した位置決め突部３５を、縦筒１７の所定位置に穿設した嵌合孔２６に嵌合して本体部Ｂ１に対してシリンダ部材Ｂ２を嵌着する如く構成した。
【００１７】
第１１の手段として、以下の通り構成した。即ち、前記第１の手段乃至第１０の手段のいずれかの手段に於いて、本体Ｂの上面、両側面、後面を被覆して本体Ｂに装着したカバーＧを設け、カバーＧは、本体Ｂの後部下方に一端を係合して後方へ延びる支持板部８０を備え、支持板部８０の上面に、本体Ｂの後面を被覆する後壁部８３の下端部を一体に連結して構成した。
【発明の効果】
【００１８】
本発明は、インテイクＢ３の存在で構造が簡素化し、部材数の減少を図れる。また、従来縦流路内に存在した吐出弁Ｖ１をシリンダ筒３０内に収容しているため縦流路ｐａを短く形成することができ、更に、インテイクＢ３上端に一体に形成した吸上弁体４６で吸上弁Ｖ２を構成しているため、吸上弁Ｖ２を簡易構造に形成でき、従来より丈の短い吸上弁Ｖ２として構成でき、全体をコンパクトに形成することができ、特に全体の丈を短く形成することができる。その結果、トリガーの丈も短いコンパクトなものを採用可能となる。また、玉状弁体を使用する場合と比較して部品の挿入ミスもなく、しかも、従来品と比較して機能的な低下が生じる虞もなく、円滑な液の汲み上げ、噴出が可能である。
【００１９】
本体Ｂを、上記した本体部Ｂ１と、シリンダ部材Ｂ２と、インテイクＢ３とで構成し、本体部Ｂ１に対するシリンダ部材Ｂ２及びインテイクＢ３の嵌着時に、下部縦流路ｐａ１内と区画筒３２内とを連通する流入路と、区画筒３２外周のシリンダ筒３０内と上部縦流路ｐａ２内とを連通する流出路が形成される如く構成した場合には、例えば、本体部Ｂ１に対してシリンダ部材Ｂ２を前方より嵌着し、インテイクＢ３を下方より嵌着するという簡単な手段で組み付けを行なえるという利点があり、また、吐出弁Ｖ１もこれらの組み付け操作で自動的に形成できるという利点がある。また、吐出弁体３４は弾性部３３を介して区画筒３２と一体に形成され、吐出弁座２０も本体部Ｂ１より一体に形成が可能であり、別体としての玉状吐出弁体を使用している従来品と比較して部材数を減少させることができるという利点もある。
【００２０】
インテイクＢ３は、筒壁４５の上端縁より立設した筒状の吸上弁体４６を、縦筒１７の頂部より垂設した吸上弁座２３外周に、開閉可能に圧接して吸上弁Ｖ２を構成し、隔壁４７下方の筒壁４５内部に下部縦流路ｐａ１を画成するとともに、隔壁４７上方の筒壁４５内より、吸上弁Ｖ２を介して吸上弁座２３外周に至る上部縦流路ｐａ２を画成している場合には、吸上弁Ｖ２を、本体部Ｂ１に一体に形成した吸上弁座２３と、インテイクＢ３に一体に形成した吸上弁体４６とで構成できるため、部材数を減少を図れ、また、筒状の吸上弁座２３と筒状の吸上弁体４６を重複させて吸上弁Ｖ２を構成するためこの部分の丈も短く構成できる利点もある。この様な利点は第４の手段、第６の手段、第７の手段の場合も同様に発揮される。
【００２１】
第３の手段に於いて、吸上弁体４６が、上部が内方へ漸次縮径する筒状をなし、吸上弁体４６の上端縁部を吸上弁座２３外周に開閉可能に圧接して吸上弁Ｖ２を構成した場合には吸上弁Ｖ２の開閉をより円滑に行なえる利点がある。
【００２２】
インテイクＢ３の筒壁４５に設けた下部透孔４８と、縦筒１７に設けた第１連通孔２１とを、インテイクＢ３の筒壁４５と縦筒１７との間に設けた環状の下部隙間５０を介して連通し、下部縦流路ｐａ１内と区画筒３２内とを連通する上記流入路を形成し、インテイクＢ３の筒壁４５に設けた上部透孔４９と、縦筒１７に設けた第２連通孔３６とを、インテイクＢ３の筒壁４５と縦筒１７との間に設けた環状の上部隙間５１を介して連通し、区画筒３２外周のシリンダ筒３０内と上部縦流路ｐａ２内とを連通する上記流出路を形成した場合には、各下部隙間５０、上部隙間５１の存在で、下部透孔４８及び上部透孔４９の穿設位置を出来るだけ近い位置に穿設調整でき、その結果、全体の丈を更に短くすることができるという特徴がある。第８の手段の場合も同様の効果を発揮する。
【００２３】
縦筒１７内に嵌着するインテイクＢ３の押し込み嵌合位置を規定する嵌着位置規定手段を設けた場合には、インテイクＢ３を確実に所定位置に嵌着させることができ、上端の吸上弁Ｖ２も良好に形成できるという利点がある。
【００２４】
シリンダ部材Ｂ２の後面より突設した位置決め突部３５を、縦筒１７の所定位置に穿設した嵌合孔２６に嵌合して本体部Ｂ１に対してシリンダ部材Ｂ２を嵌着する如く構成した場合には、シリンダ部材Ｂ２の本体部Ｂ１に対する嵌合位置を容易確実に特定することができる利点があり、シリンダ部材Ｂ２の備える構成（例えば、第１実施例に於ける上部通気孔３９）が所定位置に位置する如くシリンダ部材Ｂ２のシリンダ嵌合筒１９に対する嵌着を容易確実に行うことができる。
【００２５】
本体Ｂの上面、両側面、後面を被覆して本体Ｂに装着したカバーＧを設け、カバーＧは、本体Ｂの後部下方に一端を係合して後方へ延びる支持板部８０を備え、支持板部８０の上面に、本体Ｂの後面を被覆する後壁部８３の下端部を一体に連結して構成した場合には、例えば、装着キャップＡを握っての操作時に、握った手の上面を支持板部８０で係止して安定した噴出操作が可能であり、また、この様な利点を得るためにカバーＧの後部を本体Ｂより大きく後方に突設する必要もなく、カバーＧの後壁部８３を本体Ｂの後部近傍位置に垂設することができ、支持板部８０のみが必要幅突設していれば良く、上記利点を備える上でのカバーＧを構成する材料を極力減量することかできるという利点もある。
【図面の簡単な説明】
【００２６】
【図１】トリガー式液体噴出器の縦断面図である。（第１実施例）
【図２】トリガー式液体噴出器の要部拡大断面図である。（第１実施例）
【図３】トリガー式液体噴出器の要部拡大断面図である。（第２実施例）
【図４】トリガー式液体噴出器の要部拡大断面図である。（第３実施例）
【図５】トリガー式液体噴出器の要部拡大断面図である。（第４実施例）
【発明を実施するための形態】
【００２７】
以下、本発明の実施例の形態を図面を参照して説明する。
【００２８】
図１及び図２は本発明トリガー式液体噴出器の第１実施例を示し、図中１はトリガー式液体噴出器を示す。尚、説明の便宜上、図１の左方を前部、右方を後部、手前を右部、奥方を左部として説明する。
【００２９】
トリガー式液体噴出器１は、装着キャップＡと、本体Ｂと、連結部材Ｃと、ノズルＤと、プランジャＥと、トリガーＦと、カバーＧとを備えている。
【００３０】
装着キャップＡは、容器体９０の口頸部９１外周に螺着してトリガー式液体噴出器１を容器体９０に装着固定するもので、本体Ｂの下部に回動可能に連設されている。
【００３１】
本体Ｂは、装着した容器体９０内とパイプ５３を介して連通する縦流路ｐａと、縦流路ｐａと連通して前方へ突設したシリンダ筒３０と、シリンダ筒３０上方位置に於いて縦流路ｐａと連通して前方へ延設した射出流路ｐｂとを備えている。
【００３２】
第１実施例に於いて、本体Ｂは更に、本体部Ｂ１と、シリンダ部材Ｂ２と、インテイクＢ３とを組み付け構成している。
【００３３】
本体部Ｂ１は、上端を閉塞した下端開口の連結筒部１５を備え、連結筒部１５の頂板１６の後部偏心位置に基端を開口した有頂の縦筒１７を上方に起立し、また、縦筒１７の上端部に基端を開口した射出筒１８を前方へ延設している。また、連結筒部１５上の縦筒１７前面より、前面を開口し、後面を閉塞したシリンダ嵌合筒１９を突設しており、シリンダ嵌合筒１９の中央に、筒状の吐出弁座２０を突設している。吐出弁座２０内中央に穿設した第１連通孔２１を介して縦筒１７内と吐出弁座２０内とを連通している。また、連結筒部１５の外周下部より突設したフランジ２２上面に、装着キャップＡ上端のフランジ状頂壁１０を当接させて、本体部Ｂ１（本体Ｂ）に対して装着キャップＡを回動可能に装着している。
【００３４】
シリンダ部材Ｂ２は、シリンダ嵌合筒１９内に嵌合させた外周のシリンダ筒３０の後端縁よりフランジ状の奥壁３１を延設し、奥壁３１の内周縁より前方へ、シリンダ筒３０内基端部を内外に区画する区画筒３２を突設している。また、区画筒３２内前部より後方へ螺旋状の弾性部３３を一体に延設し、弾性部３３の先端に一体に連設した半球状の吐出弁体３４を、吐出弁座２０先端部に圧接閉塞して吐出弁Ｖ１を形成している。また、奥壁３１上部後面より突設した位置決め突部３５を縦筒１７の嵌合孔２６に嵌合させ、位置決め突部３５内を、縦筒１７内と区画筒３２外方のシリンダ筒３０内とを連通する第２連通孔３６としている。また、シリンダ嵌合筒１９とシリンダ筒３０との間には環状の隙間３７を設けており、この環状の隙間３７を介して、連結筒部１５の頂部に穿設した下部通気孔３８と、シリンダ筒３０上部に穿設した上部通気孔３９とを連通し、プランジャＥを押し込んだ際に外部と容器体９０内が連通し、負圧化した容器体９０内に外気が導入される如く構成している。
【００３５】
インテイクＢ３は、図２に拡大図で示す如く、上端を縦筒１７内上部に、下端を連結筒部１５内下端部に位置させて縦筒１７内に嵌着した筒状をなし、縦流路ｐａを構成する下部縦流路ｐａ１及び上部縦流路ｐａ２を画成するもので、上端に吸上弁Ｖ２を構成する吸上弁体４６を設けている。本例に於ける吸上弁体４６は、インテイク筒壁４５の上端縁より立設した上部が内方へ漸次縮径する筒状をなしており、この吸上弁体４６の上端部を、縦筒１７の頂部より垂設した筒状の吸上弁座２３の外周に開閉可能に圧接して吸上弁Ｖ２を構成している。また、本例では、筒壁４５の上部所定位置に上下を区画する隔壁４７を横設しており、隔壁４７下方の筒壁４５内部に下部縦流路ｐａ１を画成するとともに、隔壁４７上方の筒壁４５内より、吸上弁Ｖ２を介して吸上弁座２３外周に至る上部縦流路ｐａ２を画成している。
【００３６】
また、隔壁４７の直下に周方向複数の下部透孔４８を穿設し、また、隔壁４７の直上に、周方向複数の上部透孔４９を穿設しており、下部透孔４８の周囲の筒壁４５と縦筒１７との間に環状の下部隙間５０を、上部透孔４９周囲の筒壁４５と縦筒１７との間に環状の上部隙間５１を形成している。そして、下部縦流路ｐａ１内から、下部透孔４８、下部隙間５０、第１連通孔２１を介して吐出弁Ｖ１に連通する流入路を形成し、シリンダ筒３０内から第２連通孔３６、上部隙間５１、上部透孔４９を介して上部縦流路ｐａ２内に連通する流出路を形成している。従って、下部縦流路ｐａ１内から流入路を介してシリンダ筒３０内へ連通し、シリンダ筒３０内から流出路を介して上部縦流路ｐａ２内へ連通する如く構成している。また、上部縦流路ｐａ２は、射出筒１８内に画成された射出流路ｐｂへと連通している。また、下部透孔４８下方には周方向複数の係止リブ５２を突設し、該係止リブ５２に上端を係止してその下方の筒壁４５内に上端を嵌着したパイプ５３を、容器体９０内下部に垂下している。
【００３７】
また、本例では縦筒１７内に嵌着するインテイクＢ３の押し込み嵌合位置を規定する嵌着位置規定手段を設けている。本例に於ける嵌着位置規定手段は、連結筒部１５に設けた縦溝２４の下端より、インテイクＢ３の外周所定位置に突設した位置決め突起５４を嵌合させて、インテイクＢ３を縦筒１７内所定位置に嵌着が可能に構成している。
【００３８】
連結部材Ｃは、射出筒１８の先端外周に装着筒部６０を嵌合させて射出筒１８の先端に嵌着しており、連結部材Ｃを介して射出筒１８の先端にノズルＤを連結している。装着筒部６０先端に射出筒１８先端面を被覆する基板６１を備え、基板６１に設けた透孔６２を介して射出流路ｐｂ内とノズルＤ先端の噴出口とを連通している。また、装着筒部６０の前部両側からはバネ板６３を一体に垂設しており、バネ板６３垂設部分後方の両側にトリガーＦの両側板上端部をそれぞれ枢着している。
【００３９】
プランジャＥは、シリンダ筒３０内周に摺動可能に嵌合させた摺動部７０を、シリンダ筒３０と区画筒３２との間を前後動可能な周壁部７１の後端部より突設し、周壁部７１の先端を柱状頭部７２で閉塞して構成しており、摺動部７０が上部通気孔３９を閉塞する位置から後方への押し込みが可能に装着されている。
【００４０】
トリガーＦは射出筒１８の前部位置の連結部材Ｃに上端部を回動可能に枢着して、前後揺動可能に装着されており、また、連結部材Ｃの左右より一体に垂設された一対のバネ板６３の下端部を、トリガーＦの両側面上部にそれぞれ連係させて常時前方へ付勢された状態で枢着されている。また、プランジャＥの先端部をトリガーＦの上部に連係させて、トリガーＦの引き込みによりプランジャＥの押し込みが可能に、押し込んだ状態からバネ板６３の弾性復元力で元の状態に復元するトリガーにより、プランジャＥを元の状態に引き戻すよう構成されている。
【００４１】
カバーＧは、本体Ｂの上面、両側面、後面を被覆して本体Ｂに嵌着したもので、本体Ｂの後部下端部に一端を係合して後方へ延びる支持板部８０を備えている。第１実施例では、本体Ｂの上面を被覆する頂壁部８１の両側より、本体Ｂの両側面を被覆する一体の側壁部８２を垂設し、頂壁部８１の後端縁及び両側壁部８２の後端縁を連結する後壁部８３を延設し、支持板部８０の上面に後壁部８３下端部を一体に連結して構成している。また、本体部Ｂ１の後部下部より突設した取付板２５の下面に突設した突起２７に支持板部８０の先端上面に突設した突起８４を係合している。
【００４２】
上記の如く構成したトリガー式液体噴出器１は、図１の状態からトリガーＦを後方へ引くことで、プランジャＥを押し込み、シリンダ筒３０内の液が上記した流出路から上部縦流路ｐａ２内に圧入され、吸上弁Ｖ２を開いて射出流路ｐｂよりノズルＤ内を介してノズルＤの噴出口より噴出される。
【００４３】
次いでトリガーＦの引き込みをやめるとバネ板６３の弾性復元力によりトリガーＦが元の状態に戻されるとともに、プランジャＥが引き出され、負圧化したシリンダ筒３０内に吐出弁Ｖ１を開いて容器体９０内の液が導入される。
【００４４】
図３は第２実施例を示すもので、インテイクＢ３及び吸上弁Ｖ２部分の構成が第１実施例と相違するため、その部分の要部拡大図を示すことで説明する。本例では、吸上弁体４６がインテイク筒壁４５の上端縁より立設した筒状をなし、この吸上弁体４６の上部内周面を、縦筒１７の頂部より垂設した吸上弁座２３外周に開閉可能に圧接して吸上弁Ｖ２を構成している。また、隔壁４７下方の筒壁４５内部に下部縦流路ｐａ１を画成するとともに、隔壁４７上方の筒壁４５内より、吸上弁Ｖ２を介して吸上弁座２３外周に至る上部縦流路ｐａ２を画成している。その他の構成及び作用は第１実施例と同様であるため、説明を省略する。
【００４５】
図４は第３実施例を示すもので、同様にインテイクＢ３及び吸上弁Ｖ２部分の構成が第１実施例と相違するため、その部分の要部拡大図を示すことで説明する。本例では、縦筒１７の頂部より垂設し、内部を射出流路ｐｂと連通する筒状の吸上弁座２３を設けている。また、インテイクＢ３は、筒壁４５の上部を小外径の小外径部分４５ａに形成し、小外径部分４５ａと縦筒１７との間に環状空間５５を設けており、この小径外周部分４５ａ上端より筒状の吸上弁体４６を立設している。吸上弁体４６は、漸次上方に広がる逆スカート状に形成されており、吸上弁体４６の上端縁部を吸上弁座２３の内周に開閉可能に圧接して吸上弁Ｖ２を構成している。そして、インテイクＢ３により、隔壁４７下方の筒壁４５内部に下部縦流路ｐａ１を画成するとともに、隔壁４７上方の筒壁４５外周の環状空間５５より、吸上弁Ｖ２を介して吸上弁座２３内に至る上部縦流路ｐａ２を画成している。また、インテイクＢ３の筒壁４５に設けた下部透孔４８と、縦筒１７に設けた第１連通孔２１とを、インテイクＢ３の筒壁４５と縦筒１７との間に設けた環状の下部隙間５０を介して連通し、インテイクＢ３内と区画筒３２内を連通する上記流入路を形成している。また、縦筒１７に設けた第２連通孔３６を、区画筒３２外周のシリンダ筒３０内と上部縦流路ｐａ２とを連通する上記流出路として形成している。その他の構成及び作用は第１実施例と同様であるため、説明を省略する。
【００４６】
図５は第４実施例を示すもので、同様にインテイクＢ３及び吸上弁Ｖ２部分の構成が第１実施例と相違するため、その部分の要部拡大図を示すことで説明する。本例では、縦筒１７の頂部より垂設し、内部を射出流路ｐｂと連通する筒状の吸上弁座２３を設けている。また、インテイクＢ３は、筒壁４５の上部を小外径の小外径部分４５ａに形成し、小外径部分４５ａと縦筒１７との間に環状空間５５を設けており、この小径外周部分４５ａの上端を閉塞する、薄肉でドーム状の吸上弁体４６を設けている。そして、吸上弁座２３下面に吸上弁体４６の上面を開閉可能に圧接して吸上弁Ｖ２を構成している。
【００４７】
また、インテイクＢ３により、筒壁４５内部に下部縦流路ｐａ１を画成するとともに、筒壁４５の小外径部分４５ａ外周の環状空間５５より、吸上弁Ｖ２を介して吸上弁座２３内に至る上部縦流路ｐａ２を画成している。また、インテイクＢ３の筒壁４５に設けた下部透孔４８と、縦筒１７に設けた第１連通孔２１とを、インテイクＢ３の筒壁４５と縦筒１７との間に設けた環状の下部隙間５０を介して連通し、インテイクＢ３内と区画筒３２内を連通する上記流入路を形成し、縦筒１７に設けた第２連通孔３６を、区画筒３２外周のシリンダ筒３０内と上部縦流路ｐａ２とを連通する上記流出路を形成している。その他の構成及び作用は第１実施例と同様であるため、説明を省略する。
【符号の説明】
【００４８】
１：トリガー式液体噴出器
Ａ：装着キャップ
１０…フランジ状頂壁
Ｂ：本体
Ｂ１：本体部
１５…連結筒部、１６…頂板、１７…縦筒、１８…射出筒、１９…シリンダ嵌合筒、    ２０…吐出弁座、２１…第１連通孔、２２…フランジ、２３…吸上弁座、
２４…縦溝、２５…取付板、２６…嵌合孔、２７…突起、                            Ｂ２：シリンダ部材
３０…シリンダ筒、３１…奥壁、３２…区画筒、３３…弾性部、３４…吐出弁体、
３５…位置決め突部、３６…第２連通孔、３７…環状の隙間、３８…下部通気孔、
３９…上部通気孔
Ｂ３：インテイク
４５…筒壁、４５ａ…小外径部分、４６…吸上弁体、４７…隔壁、４８…下部透孔、
４９…上部透孔、５０…下部隙間、５１…上部隙間、５２…係止リブ、５３…パイプ、
５４…位置決め突起、５５…環状空間
Ｃ：連結部材
６０…装着筒部、６１…基板、６２…透孔、６３…バネ板
Ｄ：ノズル
Ｅ：プランジャ
７０…摺動部、７１…周壁部、７２…柱状頭部
Ｆ：トリガー
Ｇ：カバー
８０…支持板部、８１…頂壁部、８２…側壁部、８３…後壁部、８４…突起
ｐａ：縦流路
ｐａ１：下部縦流路
ｐａ２：上部縦流路
ｐｂ：射出流路
Ｖ１：吐出弁
Ｖ２：吸上弁
９０：容器体
９１…口頸部
【図１】
2014087762.tif 000003
【図２】
2014087762.tif 000004
【図３】
2014087762.tif 000005
【図４】
2014087762.tif 000006
【図５】
2014087762.tif 000007